(57)【要約】【課題】オルゴールの販売を行う小売店等の小規模な場所において、安価で多彩な楽曲を有するオルゴール製造及び販売ができ、楽曲等の著作及び著作権を確実に保護することができ、さらに、販売可能なオルゴール用楽曲等の制作著作物の容易な制作行為（作曲、編曲等）ができるようにすること。【解決手段】  オルゴール製造装置１００においては、オルゴールを製造及び販売するために製造及び販売ニーズが発生した都度オルゴール楽曲を表現するデータをネットワークを介してオルゴール販売システムよりダウンロードにより取得し、あらかじめ用意されたルールにしたがって取得データに基づいてオルゴールのシリンダ上に植えるべき針の位置を計算し、上記ルールに基づいて計算されたデータを製造機械部分を作動させるためのルールに変換して、その変換されたルールに基づいて製造機械部分を作動させ、針を植えていくものである。【選択図】図１
2008112182.tif 000002
【特許請求の範囲】
【請求項１】
オルゴール編集システムであって、
第一のデータ形式で表現された楽曲データを解析する手段と、
上記解析された楽曲データをオルゴール製造装置においてオルゴールとして製造可能な第二のデータ形式で表現されるデータに変換するための変換ルールを有し、上記変換ルールに基づき上記解析された楽曲データを変換する手段と、
上記変換された第二のデータ形式で表現される楽曲データを記憶する手段と、
上記変換手段による問題を検出するルールを有し、上記ルールにしたがって問題を検出した場合、検出結果を視覚的に表示する手段と、
上記表示手段により表示された検出結果に基づき楽曲データを編集する手段と、
上記編集時に疑似演奏を行う手段と、
上記編集により完成したオルゴール向け楽曲について、曲名、著作権情報などを上記楽曲データに付加して一体として記憶する手段と、
を備えたことを特徴とするオルゴール編集システム。
【請求項２】
前記一体として記憶する手段により記憶したデータをネットワークを介してオルゴール販売システムに提供することを特徴とする請求項１に記載のオルゴール編集システム。
【発明の詳細な説明】
【技術分野】
【０００１】
本発明は、オルゴール製造及び販売分野で用いられ、販売ニーズに基づいたオルゴール楽曲等をデータとしてオンデマンドで提供し、そのデータに基づきエンドユーザ等が望んだ楽曲を搭載したオルゴールをその場で製造するためのオルゴール製造装置を用いて製造されたオルゴールを販売するためのオルゴール販売システムに楽曲のデータを提供し、楽曲のデータ形式をオルゴール用に編曲するためのオルゴール編曲システムに関する。
【背景技術】
【０００２】
従来のオルゴール製造及びオルゴール販売は、ある一定量の生産を行うことを前提としており、専門的な技術が必要とされる大規模な設備を使用することを要し、さらに製造現場では高度な熟練者による製造行為を必要としている。このオルゴールは製造完了後に完成品として小売店等を通じてオルゴール購入者に販売されている。また、そのオルゴールには製造業者が所有する限定された楽曲を不可分なものとして組み込むのが普通であり、その楽曲制作行為のみを切り離して広く一般の人が為すことは困難とされてきた。さらにどのようなオルゴール用楽曲がすでに製造業者が所有しておりオルゴールとして提供することが可能なのかどうかを知る手段がないことが知られている。
【０００３】
そこで、今日、誰もが気楽に好きな曲を自分のオルゴールで奏でることができるオルゴールを販売購入できるシステムが提案されている（特許文献１）。また、従来からあるオルゴールでは、その演奏する曲はドラム（シリンダ）等に打ち付けたピンにより決定され、このピンの打ち付け、抜き取りが容易にできないことから、オルゴールの動作をシミュレーションにより実現するため、オルゴールシミュレータが提案されている（特許文献２）。
【０００４】
【特許文献１】特開２００３−９１２７７号公報
【特許文献２】特許第３０９６２２１号公報
【発明の開示】
【発明が解決しようとする課題】
【０００５】
従来のオルゴール製造及び販売方式では以下の問題、欠点があった。すなわち、
（１）オルゴールに組み込む楽曲等の自由な制作や編曲といった創作を行うこと、及びこうして制作著作された楽曲を搭載したオルゴール製造及びオルゴール販売が容易にできなかった。
【０００６】
（２）上記（１）の理由から、オルゴールを音楽等の表現媒体として使用しようとする作曲家やそこで創作された少量の創作性の高いオルゴールを利用した新たなビジネスを創造する者にとってはオルゴールをターゲットとしたオルゴール楽曲等を自由かつ簡便に創作することが困難となっていた。これがひいてはオルゴールを媒体とする音楽文化等の自由な創成を疎外していた。
【０００７】
（３）また、エンドユーザからみると、オルゴールには製造業者がもつ多数の楽曲が存在するにも関わらず、少数量におけるオルゴールの製造コストが高いため、これをオンデマンドでしかも安価に供給を受けることが困難であった。
【０００８】
（４）さらに製造業者等が所有する提供可能な楽曲の情報を有効な手段によりエンドユーザ、及び小売店に知らしめる方策がないため、ニーズに該当する楽曲の存在自体を知ることか困難であった。
【０００９】
（５）小売店等においてはエンドユーザの多彩な楽曲等の提供要求に応えるためにオルゴールを商品として多数の楽曲を準備しようとすると、前記の通り少数生産が困難であるか割高になること、及び予め曲を搭載されたオルゴールを物として在庫する必要があることから曲数と最低生産必要数に応じた多数の在庫を用意する必要があり、小売店の在庫をいたずらに増大させていた。
【００１０】
（６）上記欠点はまた小売店が仕入れることができるオルゴールはオルゴールに既に楽曲を搭載した状態であるため、一度仕入れたオルゴールはその搭載された楽曲等が時とともに陳腐になっても他の楽曲に取り替えて在庫効率をあげる等の行動ができなかった。そのため在庫がデッドになりやすかった。
【００１１】
（７）エンドユーザにおいては小売店等で多数の楽曲等の種類を揃えた在庫を用意していても希望する楽曲を搭載したオルゴールが高確率で買える可能性は低く、オルゴールにおける多彩な楽曲等の供給ニーズを満足しているとは言えなかった。
【００１２】
（８）またエンドユーザにとっては、シミュレーションの環境とは異なり、提供されているオルゴール用楽曲がそのニーズに合わないものであったとしてもその一部改編などを要求、実現することがコスト的に高いものになる。それは曲の改編はそのまま製造初期コストの負担につながるからである。そのため一般にエンドユーザはオルゴール製造メーカが既に製造、提供するオルゴール楽曲をそのまま搭載したオルゴールを購入するか、又は新たに高い初期コストをかけて改編したものを製造させることを要していた。いづれにしてもエンドユーザが欲するオルゴール楽曲を購入等するにあたって大きな障害になっていた。
【００１３】
本発明の目的は、オルゴールの販売を行う小売店等のオルゴール販売量は小規模であるがエンドユーザに近い場所において、その求めにオンデマンドで応じることが可能な安価で容易なオルゴール製造装置を提供することにあり、さらにオルゴール楽曲の制作著作者と販売者をつなぎ、オンデマンドでどのような楽曲でも提供可能なオルゴール販売システムを提供することにある。またそこで販売可能なオルゴール用楽曲等の制作著作物の容易な制作行為（作曲、編曲等）を可能としたオルゴール編曲システムを提供することにある。
【課題を解決するための手段】
【００１４】
上述した課題を解決し、上記目的を達成するため、本発明の請求項１のオルゴール編集システムは、オルゴール編集システムであって、第一のデータ形式で表現された楽曲データを解析する手段と、上記解析された楽曲データをオルゴール製造装置においてオルゴールとして製造可能な第二のデータ形式で表現されるデータに変換するための変換ルールを有し、上記変換ルールに基づき上記解析された楽曲データを変換する手段と、上記変換された第二のデータ形式で表現される楽曲データを記憶する手段と、上記変換手段による問題を検出するルールを有し、上記ルールにしたがって問題を検出した場合、検出結果を視覚的に表示する手段と、上記表示手段により表示された検出結果に基づき楽曲データを編集する手段と、上記編集時に疑似演奏を行う手段と、上記編集により完成したオルゴール向け楽曲について、曲名、著作権情報などを上記楽曲データに付加して一体として記憶する手段と、を備えたことを特徴とするものである。
【００１５】
また、請求項２の発明は、請求項１において、前記一体として記憶する手段により記憶したデータをネットワークを介してオルゴール販売システムに提供することを特徴とするものである。
【発明の効果】
【００１６】
本発明は、オルゴールの販売を行う小売店等の小規模な場所において、安価で多彩な楽曲を有するオルゴール製造及び販売が可能となる。また楽曲等の著作及び著作権を確実に保護することが可能となる。さらに、販売可能なオルゴール用楽曲等の制作著作物の容易な制作行為（作曲、編曲等）が可能となる。
【発明を実施するための最良の形態】
【００１７】
以下、添付図面を参照して、本発明に係る一実施の形態について詳細に説明する。
【００１８】
本発明に係るオルゴール製造装置においては、オルゴールを販売する小売店等において、オンデマンドでエンドユーザの要求する楽曲データをダウンロードでき、上記楽曲データに基づきシリンダオルゴールのシリンダヘの針植（ピアノ等の楽器における鍵盤を押さえて音を鳴らす順序つまり演奏に相当する）及び振動板への音の割り付けである調律（ピアノ等の楽器における鍵盤に相当する）を施すことでオルゴールにダウンロードした楽曲を固定することで任意の楽曲を搭載したオルゴールを製造可能とするものである。
【００１９】
また、本発明に係るオルゴール販売システムにおいては、オルゴール楽曲をオルゴール（ハードウェア）として楽曲を固定した形態で製造、在庫するのでなくオルゴール（ハードウェア）と楽曲を別個にしておく。前者のオルゴールハードウェアは楽曲が固定される以前の状態であるので楽曲を固定した状態とは異なり、どの楽曲ニーズに対しても応えることのできる汎用状態として在庫する。後者のオルゴール楽曲はコンピュータ上にデータとして記憶することとする。これにより小売店からの要求に応じていつでもオルゴール（ハードウェア）に楽曲として搭載（製作）することを可能とする。またオルゴール楽曲はそれを登録する際に予めその作者（著作者）との取り決めを行い、オルゴール楽曲がオルゴールとして製造された時点つまり売れた時点で受け取る報酬（著作権利用料金）を決定しておくことで著作権等の権利行使をオルゴール販売システムに委託する。さらに小売店等がオルゴールを製造、販売した時点でその著作権利用料金を含む楽曲利用料金を課金できる方式を備えるものである。
【００２０】
さらに、このオルゴール販売システムにおいては、オルゴールを販売する小売店等において、エンドユーザの要求するオルゴール楽曲等を上記プロバイダ等が所有する多種類のオルゴール楽曲データ群の中から小売店叉はエンドユーザ自身が容易に選択することができる。その場で選択した楽曲等をその場でオルゴールとして入手することが容易にできる方式を備える。
【００２１】
また、本発明に係るオルゴール編曲システムにおいては、コンピュータ上で一般的な楽曲等をオルゴール用に改編、編集する手段を提供し、叉はコンピュータ上にオルゴール用楽曲を直接記述する手段を提供する。またオルゴール特有の楽曲演奏上の制限を予めコンピュータプログラムによりルール化、及びその適用をリアルタイムで行うことによりオルゴール用に楽曲を制作、改編、編集する者の作業を援助する手段を提供する。さらに上記作業結果をいつでも疑似演奏して結果を確認する手段、及び作業結果を記録保存する手段を提供するものである。
【００２２】
以下、具体的に説明する。まず、全体の仕組みについて図１を参照して説明する。図１は本発明の一実施形態によるオルゴール製造装置、オルゴール販売システム、及びオルゴール編曲システムの関係を説明する図である。例えば図１に示したように、オルゴール製造装置１００とオルゴール販売システム（サーバ）２００間はネットワークにより接続され、オルゴール販売システム２００からオルゴール製造装置１００に対して楽曲データの提供がなされ、一方、その逆は利用料金の支払いとなる。また、オルゴール販売システム２００とオルゴール編集システム３００間もネットワークにより接続され、オルゴール編集システム３００からオルゴール販売システム２００に対して楽曲データの登録がなされ、一方、その逆は著作権利用料の支払いがなされる。ここで、ネットワークは、インターネット、ＬＡＮ等の通信網が考えられ、セキュリティ環境は適宜用途に応じて適用すればよい。
【００２３】
つづいて、上述したオルゴール製造装置１００、オルゴール販売システム２００、及びオルゴール編曲システム３００について詳述する。図２は本発明に係るオルゴール製造装置１００の内部構成例を示すブロック図、図３は本発明に係るオルゴール販売システム２００の内部構成例を示すブロック図、そして、図４は本発明に係るオルゴール編集システム３００の内部構成例を示すブロック図である。
【００２４】
まず、オルゴール製造装置１００について図２を用いて説明する。オルゴール製造装置１００は、ＣＰＵ、ＲＯＭ、ＲＯＭ等を備えて装置全体を制御する中央処理装置１０１、楽曲選択入力手段１０３、入力された楽曲の内容を解析してオルゴール販売システム２００に楽曲を要求する楽曲要求通信手段１０４、オルゴール販売システム２００から楽曲ダウンロード（ＤＬ）を受ける楽曲ＤＬ手段１０５、ダウンロードした楽曲データを記憶する楽曲データ記憶装置１０６、あらかじめ用意されたルールにしたがって記憶された楽曲データを解析してシリンダに針を打つ位置等を計算する針植位置等計算１０７、あらかじめ用意されたルールにしたがって実際にオルゴール製造機械部分４００に指令として送れるように変換する命令変換手段１０８、オルゴール製造機械部分４００に命令を送信する命令送信手段１０９、及び、振動板を所定の音程において鳴るように調律を施すための音高データを抽出するデータ抽出手段１１０、その音高データを表示するデータ表示手段１１１、さらに全てのオルゴール製作が完了した場合に、その旨をオルゴール販売システム２００に対して報告（通知）する完了報告通信手段１１２を有する。
【００２５】
流れとして、オルゴールを製造して販売しようとする者（小売店等の店舗）はまず楽曲選択入力手段１０３を用いてエンドユーザ等が望むオルゴール楽曲を選択する。楽曲の一覧情報はオルゴール販売システム２００からオンデマンドで提供される。選択はメニュー、検索等で多数の楽曲から必要な楽曲を絞り込んで選択する。選択された楽曲はコード等の楽曲を一意的に特定できる手段で表現され、オルゴール販売システム２００に要求される。要求はオルゴール製造装置１００の中央処理装置１０１に備えられた電気通信機構により行われる。
【００２６】
オルゴール販売システム２００は要求された楽曲のコード等に基づき楽曲データを送信する。オルゴール製造装置１００は、楽曲ＤＬ手段１０５によりそれを受信し、楽曲データ記憶装置１０６にそのまま記憶しておく。ただし後に説明する課金処理等の関係で記憶は一時的な中央処理装置１０１の主記憶上になされ、一連のオルゴール製造が完了した時点で消去される。これにより一回のダウンロードにおいて複数のオルゴールが製造されることによる楽曲等制作者の著作権侵害を防止する意味がある。
【００２７】
楽曲データ記憶装置１０６に記憶された楽曲データは、針植位置計算ルール１０７による変換処理を施され、これによりオルゴールのシリンダに音を鳴らすための信号源として使われる針を植える位置を指定するためのデータに変換される。同時に振動板調律用データ、すなわち、音高データを抽出するデータ抽出手段１１０によりオルゴール製作者が振動板の調律作業を行うためのデータ表示手段１１１による表示がなされる。
【００２８】
針植位置等計算手段１０７により計算された針位置データはオルゴール製作装置１００の制御ルールをもつ命令変換手段１０８によってオルゴール製造機械部分４００によって動作可能な固有の制御情報に変換される。さらにオルゴール製造機械部分４００への命令送信手段１０９によりオルゴール製造機械部分４００に順次送られ実際に装置を作動させ、シリンダに針を植えていく。
【００２９】
一方、データ表示手段１１１によって表示されたデータは製作作業者により読取られ、順次振動板の調律作業に使われていく。これら一連の動作か完了した時点で製作完了報告を完了報告通信手段１１２により行う。オルゴール販売システム２００はこの通知を受けて所定の課金処理等を行う。
【００３０】
このように製造しようとするオルゴール楽曲を都度楽曲ＤＬ手段１０５によってオルゴール販売システム２００から取得し、製作を行うことで製作するオルゴール１個毎に異なった楽曲を搭載することが可能になる。さらに楽曲は都度ダウンロードされることからオルゴール販売システム２００からみると都度楽曲利用料金、及び楽曲著作者の有する著作権利用料等の課金が可能になる。
【００３１】
つづいてオルゴール販売システム２００について図３を用いて説明する。オルゴール販売システム２００は、ＣＰＵ、ＲＯＭ、ＲＯＭ等を備えて装置全体を制御する中央処理装置２０１、楽曲データを記憶（登録）させる楽曲登録手段２０２、楽曲データを記憶する楽曲記憶手段２０３、オルゴール製作装置１００からの要求に応じて楽曲記憶装置２０３に記憶されている楽曲データ一覧を配信、表示させる一覧要求及び配信表示手段２０４、オルゴール製作装置１００にて選択されたオルゴールの楽曲データに基づいて楽曲記憶装置２０３から楽曲データを取り出す楽曲データ取出手段２０５、その取り出した楽曲データをオルゴール製造装置１００へ配信（ダウンロード）する楽曲データ配信手段２０６、ダウンロードした楽曲の利用料金と著作権使用料金等を計算する料金計算ルール２０７、ダウンロードした先のオルゴール製造装置１００においてオルゴール製造か完了したことを受信する製造完了受信手段２０８、あらかじめ用意された絵ルールにしたがってオルゴール楽曲利用料金等の課金を判断する課金判断手段２０９、あらかじめ用意されたルールにしたがってその利用料金を計算する課金計算手段２１０、あらかじめ用意されたルールにしたがって著作権の利用料金を計算する著作権利用料金計算手段２１１、課金計算手段２１０の結果及び著作権利用料金計算手段２１１の結果を記憶しておく著作権利用料金等記憶手段２１２、後に利用料金等を販売店等に請求するための請求書発行手段２１３を有する。
【００３２】
オルゴール楽曲を制作した者（作者）から楽曲登録手段２０２を通して楽曲データを楽曲記憶手段２０３に記憶させる。登録には登録者（権利者）、登録日、楽曲名、利用にあたっての著作権利用料金等の取り決め事項を併せて記憶しておく。これをくり返すことにより楽曲記憶手段２０３には多数の楽曲データが貯えられることになる。
【００３３】
一方、楽曲の利用者（小売店等）からはオルゴール製造装置１００から楽曲記憶手段２０３に記憶されている楽曲等のデータを一覧表等の形式で配信、表示させる一覧要求及び配信表示手段２０４を通じて開示できる。開示は利用者の求めにおうじてオンデマンドで行われる。利用者は開示された曲名や作者等のデータをみて所望の楽曲を選択する。選択されたデータは楽曲データを取り出す楽曲データ取出手段２０５を通じて楽曲記憶手段２０３から取り出される。この際に利用者が指定したコード等を利用し楽曲を特定して取り出すことになる。
【００３４】
取り出したデータはオルゴール製造装置１００にて利用可能な形式であり、これを楽曲データ配信手段２０６によって利用者のオルゴール製造装置１００ヘダウンロードされる。この際に利用者側のオルゴール製造装置１００に対して適当な認証手段を用いて相手の確認をすることは言うまでもない。
【００３５】
その後、利用者側のオルゴール製造装置１００からオルゴールの製作が完了したことを示すデータを製造完了受信手段２０８により受け取る。これを受けて利用者がオルゴールを製作つまり利用した実績が生じたと判断し、楽曲利用課金処理の料金計算ルール２０７を適用し、楽曲利用料金、及び著作権利用料金等を計算する。料金計算ルール２０７はあらかじめ楽曲登録手段２０２において楽曲提供者（作者）との間で取り決められた条件を楽曲記憶手段２０３に記憶しておき、そのデータに基づき課金判断手段２０９において計算を行う。
【００３６】
その後、課金計算手段２１０に基づき利用者に利用料金の課金額を決定する。著作権者に対してはこの時点で著作権利用料金計算手段２１１により支払いの手続きを行う。利用者に対しては例えば１月に一度所定の日に著作権利用料金等記憶装置２１２に記憶されている利用料金データに基づき請求書発行手段２３１により楽曲利用料金を請求することになる。
【００３７】
つぎにオルゴール編集システム３００について図４を用いて説明する。オルゴール編曲システム３００はパーソナルコンピュータ等の機器で実行される。オルゴール編曲システム３００は、ＣＰＵ、ＲＯＭ、ＲＯＭ等を備えて装置全体を制御する中央処理装置３０１、一般に楽曲を制作するプログラム（例えば、楽曲制作プログラム５００）等にて作成されたＭＩＤＩデータを入力するＭＩＤＩデータ入力手段３０２、入力したＭＩＤＩデータを解析してオルゴール楽曲として扱うのに都合の良いように変換及び記憶するＭＩＤＩデータ解析・変換・記憶手段３０３、そのデータを表示する楽曲データ表示手段３０４、オルゴール楽曲としての制限事項等の問題を抽出する問題抽出手段３０５、問題等を修正するために設ける楽曲編集手段３０６、楽曲を実際に音で聴けるように疑似的に演奏する疑似演奏手段３０７、楽曲データ表示手段３０４で表示された対象の楽曲を記憶する楽曲データ記憶装置３０８、楽曲データ記憶装置３０８を参照して著作権利用料金を設定する著作権利用料金設定手段３０９、及び、オルゴール販売システム２００に対して楽曲データ記憶装置３０８に記憶されている楽曲データ、すなわち、楽曲登録データを送信する楽曲登録データ送信手段３１０を有する。
【００３８】
オルゴール楽曲を作成しようとする者（作者）は一般にＭＩＤＩといわれる音楽をコンビュータ上で扱えるデータ形式にのっとり楽曲の元を制作し、適当な媒体に記憶しておく。楽譜のように紙等の媒体に記載された制作物（音楽）は一般的なコンピュータプログラムにてコンピュータ上にインプットし適当な記憶媒体にＭＩＤＩデータとして記憶しておく。
【００３９】
上記にて制作、記憶された楽曲の元データはオルゴール編曲システム３００におけるＭＩＤＩデータ入力手段３０２を通してコンピュータに入力される。ＭＩＤＩデータのままではその後の処理がやりにくいため、一旦ＭＩＤＩデータ解析・変換・記憶手段３０３により編集、及び問題抽出等がやりやすい形式のデータに変換される。ＭＩＤＩデータ解析・変換・記憶手段３０３により変換されたデータは楽曲データ表示手段３０４により図示せぬディスプレイに表示される。今後は問題抽出、編集等された際にはその度にリアルタイムでディスプレイに結果が表示されることで楽曲制作者にオルゴール楽曲としての特有の情報を提供することかできる。
【００４０】
表示された楽曲データは常にオルゴール特有の制限を定義した問題抽出手段３０５のルールに照らし合わされ、結果は楽曲中の問題箇所として楽曲データ表示手段３０４を通じて制作者に伝えられる。制作者はその情報に基づき楽曲編集手段３０６を操作して必要な編集を行うことができる。その結果は常に問題抽出手段３０５を講じられ、結果が再び楽曲データ表示手段３０４により制作者に伝えられる。また制作者が望む楽曲が作成できたかどうかを判断するには実際に音を鳴らしてみる必要がある。そのため疑似演奏手段３０７を常に利用できるようにしておき、編集の途中でも常に楽曲として演奏できる手段として提供する。
【００４１】
こうしてオルゴール特有の編曲上の制限を問題抽出手段３０５によって常に抽出、表示させることで楽曲制作者は実際にオルゴールとして製作してみることなくその楽曲がオルゴールとして実際に製作できるのかどうかという情報と製作された場合にどのように演奏されるかを実際のオルゴール製作前に知ることができる。これはオルゴール製作が比較的コスト的に高く、しかも楽曲制作のその場で製作確認することが困難なものである特性を考慮すると重要なことである。
【００４２】
つぎに、オルゴール製造装置１００、オルゴール販売システム２００、及び、オルゴール編曲システム３００について動作を説明する。図５、図６、及び図８は本実施形態によるオルゴール製造装置１００の動作例を説明するフローチャート、図７は本実施形態による針植を説明する図、図９は本実施形態によるトラック調律例を説明する図、図１０、図１２、及び図１３は本実施形態によるオルゴール販売システム２００の動作例を説明するフローチャート、図１１は本実施形態による楽曲記憶手段２０３の記憶例を説明する図、図１４は本実施形態による著作権利用料金等記憶手段２１２の記憶例を説明する図、図１５、図１６、図１８、図１９、及び図２０は本実施形態によるオルゴール編曲システム３００の動作例を説明するフローチャート、並びに、図１７は本実施形態による編曲時の表示例を説明する図である。
【００４３】
まず、オルゴール製造装置１００について詳述する。オルゴール製造装置１００において、楽曲要求通信手段１０４においては、例えば図５に示したように、パラメータとして、曲コード、検索キーワード等の楽曲選択用キーワードの入力を受け付けて（ステップＳ５０１）、オルゴール販売システム２００に対してその入力パラメータを用いて通信による要求がなされ（ステップＳ５０２）、オルゴール販売システム２００より該当する楽曲リストが受信される（ステップＳ５０３）。そして、受信された楽曲リストが一覧形式で図示せぬディスプレイに表示される（ステップＳ５０４）。楽曲リストは、楽曲と曲コードとが紐付けされている。
【００４４】
楽曲選択入力手段１０３において、操作者により、例えば図５に示したように、楽曲「アニーローリー」が選択されると、その選択された楽曲（曲コード）がオルゴール販売システム２００に要求される（ステップＳ５０５）。オルゴール販売システム２００では、要求が受け付けられると、該当する楽曲データが読み出されて、オルゴール製造装置１００の楽曲ＤＬ手段１０５によりダウンロード（受信）される（ステップＳ５０６）。このダウンロードされた楽曲データは、楽曲データ記憶装置１０６に記憶される。
【００４５】
つづいて、針植位置等計算手段１０７においては、例えば図６に示したように、楽曲データ記憶装置１０６から楽曲データが読み出され（ステップＳ６０１）、その楽曲データに基づいて楽曲の開始位置及び終了位置が計算される（ステップＳ６０２）。これにより、曲の長さが決定する。図７において、（Ａ）はシリンダを正面から見た図であり、（Ｂ）はシリンダの側方から見た図である。さらに、曲を構成する音（音符）がシリンダの角度α（図７（Ａ）参照）に換算され（ステップＳ６０３）、使用している音程を抽出してトラック位置が割り出される（ステップＳ６０４）。角度αは最大３６０°である。例えば、トラック位置「１」の場合は、図７（Ａ）及び（Ｂ）のように、針の植える位置が確定される。以上の処理において、適宜処理中のデータは中央処理装置１０１のメモリに一時記憶されるものとする。
【００４６】
そして、命令変換手段１０８においては、例えば図８に示したように、角度優先で各針角度とトラック位置データがソートされ（ステップＳ８０１）、その後、二つの処理が実行される。すなわち、一方では、針毎に必要な送り角度が計算され（ステップＳ８０２）、その送り角度がロータリーインデックスへの指令命令に変換される（（ステップＳ８０３）。他方では、針毎に必要なトラック位置が計算され（ステップＳ８０４）、その送り角度がリニアアクチュエータへの指令命令に変換される（ステップＳ８０５）。このようにして変換された二つの指令命令が命令シーケンスとして記憶され（ステップＳ８０６）、命令送信手段１０９により、オルゴール製造機械部分４００に命令送信される（ステップＳ８０７）。
【００４７】
ここで、データ抽出手段１１０及びデータ表示手段１１１において、図９（Ａ）の例では、トラック位置毎に調律する流れが示されている。また、同図（Ｂ）では、歯を音程通りに調律する例が示されている。
【００４８】
つぎに、オルゴール販売システム２００について詳述する。オルゴール販売システム２００において、楽曲登録手段２０２では、データが受信され（ステップＳ１００１）、該当する登録情報が抽出される（ステップＳ１００２）。すなわち、曲名、作者コード、著作権利用条件等が楽曲記憶手段２０３から抽出される。この著作権利用条件には、たとえば、ダウンロード販売の都度、ＹＹＹ％の課金、ダウンロード販売の都度、定額課金、一括清算による定額課金がある。このように抽出された登録情報に基づいて利用に関する総合料金が計算される（ステップＳ１００３）。ここで、楽曲記憶手段２０３について説明する。楽曲記憶手段２０３は、例えば図１１に示したように、曲コード、曲名、作者コード、作者、著作情報、原作者、料金等が記憶されている。
【００４９】
つづいて、一覧要求及び配信表示手段２０４においては、オルゴール製造装置１００より一覧要求が受信されると（ステップＳ１２０１）、楽曲記憶手段２０３から該当するデータが抽出され（ステップＳ１２０２）、その抽出データが一覧形式に整形されて（ステップＳ１２０３）、例えばＨＴＭＬ形式でオルゴール製造装置１００に送信される（ステップＳ１２０４）。この場合、オルゴール製造装置１００では、ブラウザ等によりＨＴＭＬ対応の表示処理等が行われるものとする。なお、料金計算ルール２０７においては、例えば図１３に示したように、楽曲記憶手段２０３から料金の抽出が行われ（ステップＳ１３０１）、料金が決定される（ステップＳ１３０２）。
【００５０】
ここで、著作権利用料金等記憶手段２１２について触れると、例えば図１４に示したように、日付、利用者コード、利用者名、楽曲コード、曲名、成功／否、利用料金、著作利用料金、原作利用料金等が記憶されている。
【００５１】
つぎに、オルゴール編曲システム３００について詳述する。オルゴール編曲システム３００において、ＭＩＤＩデータ解析・変換・記憶手段３０３では、入力されたＭＩＤＩデータからノートオンのタイミングが抽出され（ステップＳ１５０１）、オルゴールの制限音域内に音域が調整される（ステップＳ１５０２）。
【００５２】
そして、問題抽出手段３０５においては、楽曲データについて角度計算が施され（ステップＳ１６０１）、最小針植間隔（連打）のチェックが行われる（ステップＳ１６０２）。そこで、その間隔が小さ過ぎるかどうかの判断がなされ、小さ過ぎるという判断結果が得られた場合には（ステップＳ１６０３のＹＥＳルート）、トラックへの音の割付けが増やされて（ステップＳ１６０４）、処理はステップＳ１６０５に移行する。一方、小さ過ぎるという判断結果が得られなかった場合には（ステップＳ１６０３のＮＯルート）、処理はそのままステップＳ１６０５に移行する。
【００５３】
ステップＳ１６０５において、次の音があるかどうか判断され、次の音があれば処理はステップＳ１６０２に戻り、一方、なければ、トラックの数が数えられる（ステップＳ１６０６）。その後、トラックの数がオルゴールのもつ弁数とあっているかどうか判断される（ステップＳ１６０７）。この判断結果は、トラックの数がオルゴールの弁数以下、同数、以上の３つに分かれ、いずれも場合も表示される。
【００５４】
楽曲データ表示手段３０４について、図１７を用いて説明する。同図（Ａ）、（Ｂ）は、それぞれ縦軸方向をオルゴールの音域、横軸方向を連打の時間軸を示している。同一トラックにおいて連打の間隔が短すぎると、図１７（Ａ）に示したように、その旨の表示が行われる。この場合には、二つ以上のトラックへの割付けを行うことで、トラックを交互に使用することで問題を解消するものとする。その結果、例えば図１７（Ｂ）のように、実際に割り付けられた音域が表示され、さらに、各弁（トラック）への割付けも表示される。
【００５５】
そして、楽曲編集手段３０６においては、例えば図１８に示したように、音を時間方向に移動させ（ステップＳ１８０１）、音を音程方向に移動させる処理が施される（ステップＳ１８０２）。さらに、疑似演奏手段３０７においては、編集中の曲をＭＩＤＩへ変換して（ステップＳ１９０１）、ＭＩＤＩプレイヤ等のプログラムで演奏させる処理が実行される（ステップＳ１９０２）。
【００５６】
最後に、著作権利用料金設定手段３０９について図２０を用いて説明する。著作権利用料金設定手段３０９においては、図示せぬディスプレイに、曲名の入力欄のほか、作者、原作者についてそれぞれ著作者が自身か（「あなた」）、そうでないかの設定欄が設けられ、操作者はその画面を通じて入力設定することができる。ここで、曲名、自身以外の作者、原作者については、キーボード等の入力手段を用いて入力することになる。さらに、著作権利用料金について設定するかどうかの設定欄が設けられており、著作権利用料金を請求するのであれば、「はい」を選択し、そうでなければ著作権フリーとして「いいえ」を選択できるように表示される。
【００５７】
ここで、著作権利用料金を設定する場合には、「一括で欲しい」、「利用（ダウンロード毎）に定額（２００円）」、「利用（ダウンロード毎）に定率（７％）」、「その他条件」のように所望の設定が可能となる。以上、図２０の設定例では、操作者の操作自体は、ラジオボタンをクリックする選択手法をとっているが、これに限定されるものではない。以上のように設定された情報は登録情報として楽曲データとともに保存され（ステップＳ２００１）、オルゴール販売システム２００に送信される（ステップＳ２００２）。
【００５８】
つぎに他の実施形態について説明する。前述した図１の実施形態では、オルゴール販売システム２００は、インターネットを用いた通信販売でもよく、オルゴール購入者は、オンデマンドで要望の楽曲が組み込まれたオルゴールをインターネットを通じて注文できるビジネスモデルでもよい。つまりオルゴール購入者（エンドユーザ）は小売店に来店する必要はなく、オルゴール販売システム２００が提供する楽曲等のデータを一覧表等の形式で配信、表示させる一覧要求及び配信表示手段２０４を用いてあらかじめオルゴール楽曲を選択し、小売店に依頼してオルゴール製造装置１００でオルゴールを製作してもらい購入することもできる。
【００５９】
さらにオルゴール編曲システム３００を用いて作曲、編曲等された楽曲を作曲、編曲者自身が小売店等オルゴール製造装置１００を所有する者に依頼してオルゴールを製作してもらい購入することもできる。
【００６０】
また、前述した図２の実施形態では、オルゴール楽曲の制作者（作者）は自ら制作したオルゴール楽曲の著作権利用料金の支払いを受ける条件としてオルゴール販売システム２００にて楽曲登録手段２０２を用いて登録した際に一括して支払いを受けるということでもよい。また実際にそのオルゴール楽曲が販売されたとオルゴール楽曲利用料金等の課金判断手段２０９のルールにて判断された時点で楽曲登録手段２０２を用いてあらかじめ登録した応分の著作権利用料金を受け取ることでもよい。
【００６１】
また、前述した図３の実施形態では、楽曲をＭＩＤＩデータの形式で入力するＭＩＤＩデータ入力手段３０２にて入力する代りに楽曲編集手段３０６にて直接入力するようにしてもよい。また既にオルゴール編曲システム３００にて制作、記憶されているオルゴール楽曲データをさらに改編したい場合はオルゴール楽曲として扱うのに都合のよいように変換、記憶するＭＩＤＩデータ解析・変換・記憶手段３０３にて記憶されたオルゴール楽曲データを再び読み込んで編集することでもよい。
【００６２】
以上説明したように、上述した説明によれば、オルゴールの販売を行う小売店等の小規模な場所において、安価で多彩な楽曲を有するオルゴール製造及び販売が可能となる。また楽曲等の著作及び著作権を確実に保護することが可能となる。
【００６３】
（１）オルゴール用楽曲を集中管理するプロバイダ等の事業者においては、オルゴール販売システム２００を用いて楽曲をデータで記憶しておくことで、オルゴールに固定した状態で物として在庫する必要がなくなるため、多種類の楽曲を提供すべく所有してもいたずらにコストが増大しないという効果を奏する。
【００６４】
（２）オルゴール販売システム２００に記憶される多数のオルゴール楽曲を販売ニーズが生じた時点で応分の利用料金で利用し、オルゴール製造装置１００にてオンデマンドで製造、販売を行うことができるため、従来のようにオルゴール楽曲を固定した状態でオルゴール（ハードウェア）を曲の種類とその在庫所要数に応じて在庫しておく必要がなくなる。そのため小売店における在庫量が軽減されるという効果を奏する。
【００６５】
（３）エンドユーザからみると小売店がオルゴール販売システム２００がもつ多数のオルゴール楽曲を小売店においてエンドユーザの求めに応じてその場でオルゴール製造装置１００を用いて製造、販売することができるため、エンドユーザが欲したオルゴール楽曲を搭載したオルゴールがその場で手に入るようになるという効果を奏する。
【００６６】
（４）オルゴール用の楽曲を小売店が所有する必要がなく、同楽曲を集中的に扱うプロバイダ等の事業者がオルゴール販売システム２００を用いてこの管理を行うことでオルゴール用楽曲を集中管理でき、それが故に小売店等では多種類の楽曲群の中から必要な時に必要なだけ利用し、それに応じた課金を行なうことで、プロバイダ等の事業者、及び小売店双方において先行投資を最小限にとどめることができるという効果を奏する。
【００６７】
（５）オルゴール編曲システム３００を用いることで、オルゴールを販売する小売店等においてニーズのあった楽曲等、又は一般の創作家等において自発的に創作された楽曲等でオルゴールに組み込むための楽曲においてそれをオルゴール向けに適合するよう楽曲に改編を加えることが容易にできるという効果を奏する。そのため楽曲等の制作著作者にとっては容易にオルゴール楽曲等の制作、及び提供が可能になる。そのため楽曲制作者を手がけようとする者が増え、結果としてオルゴール向けの楽曲を多数かつ安価に提供できるようになる。小売店等にとっては創作された楽曲等の制作著作物を容易にかつ安価にオルゴールに組み込み販売できる。
【００６８】
（６）オルゴール販売システム２００を用いることにより楽曲制作者（作者）は著作権の合理的な行使を実現することが可能となる。ついては、オルゴールを使用した職業作曲家の創造や新たな著作権ビジネスを創造することができるという効果を奏する。
【産業上の利用可能性】
【００６９】
本発明は、オルゴールの楽曲に限らず、著作権利用の整理をした上で著作権の絡むコンテンツを装置に固定する技術分野においても有用である。
【図面の簡単な説明】
【００７０】
【図１】本発明の一実施形態によるオルゴール製造装置、オルゴール販売システム、及びオルゴール編曲システムの関係を説明する図である。
【図２】本発明に係るオルゴール製造装置１００の内部構成例を示すブロック図である。
【図３】本発明に係るオルゴール販売システム２００の内部構成例を示すブロック図である。
【図４】本発明に係るオルゴール編集システム３００の内部構成例を示すブロック図である。
【図５】本実施形態によるオルゴール製造装置１００の動作例を説明するフローチャートである。
【図６】本実施形態によるオルゴール製造装置１００の動作例を説明するフローチャートである。
【図７】本実施形態による針植を説明する図である。
【図８】本実施形態によるオルゴール製造装置１００の動作例を説明するフローチャートである。
【図９】本実施形態によるトラック調律例を説明する図である。
【図１０】本実施形態によるオルゴール販売システム２００の動作例を説明するフローチャートである。
【図１１】本実施形態による楽曲記憶手段２０３の記憶例を説明する図である。
【図１２】本実施形態によるオルゴール販売システム２００の動作例を説明するフローチャートである。
【図１３】本実施形態によるオルゴール販売システム２００の動作例を説明するフローチャートである。
【図１４】本実施形態による著作権利用料金等記憶手段２１２の記憶例を説明する図である。
【図１５】本実施形態によるオルゴール編曲システム３００の動作例を説明するフローチャートである。
【図１６】本実施形態によるオルゴール編曲システム３００の動作例を説明するフローチャートである。
【図１７】本実施形態による編曲時の表示例を説明する図である。
【図１８】本実施形態によるオルゴール編曲システム３００の動作例を説明するフローチャートである。
【図１９】本実施形態によるオルゴール編曲システム３００の動作例を説明するフローチャートである。
【図２０】本実施形態によるオルゴール編曲システム３００の動作例を説明するフローチャートである。
【符号の説明】
【００７１】
１００  オルゴール製造装置
１０１  中央処理装置
１０３  楽曲選択入力手段
１０４  楽曲要求通信手段
１０５  楽曲ＤＬ手段
１０６  楽曲データ記憶装置
１０７  針植位置等計算
１０８  命令変換手段
１０９  命令送信手段
１１０  データ抽出手段
１１１  データ表示手段
１１２  完了報告通信手段
２００  オルゴール販売システム
２０１  中央処理装置
２０２  楽曲登録手段
２０３  楽曲記憶手段
２０４  一覧要求及び配信表示手段
２０５  楽曲データ取出手段
２０６  楽曲データ配信手段
２０７  料金計算ルール
２０８  製造完了受信手段
２０９  課金判断手段
２１０  課金計算手段
２１１  著作権利用料金計算手段
２１２  著作権利用料金等記憶手段
２１３  請求書発行手段
３００  オルゴール編曲システム
３０１  中央処理装置
３０２  ＭＩＤＩデータ入力手段
３０３  ＭＩＤＩデータ解析・変換・記憶手段
３０４  楽曲データ表示手段
３０５  問題抽出手段
３０６  楽曲編集手段
３０７  疑似演奏手段
３０８  楽曲データ記憶装置
３０９  著作権利用料金設定手段
３１０  楽曲登録データ送信手段
４００  オルゴール製造機械部分
【図１】
2008112182.tif 000003
【図２】
2008112182.tif 000004
【図３】
2008112182.tif 000005
【図４】
2008112182.tif 000006
【図５】
2008112182.tif 000007
【図６】
2008112182.tif 000008
【図７】
2008112182.tif 000009
【図８】
2008112182.tif 000010
【図９】
2008112182.tif 000011
【図１０】
2008112182.tif 000012
【図１１】
2008112182.tif 000013
【図１２】
2008112182.tif 000014
【図１３】
2008112182.tif 000015
【図１４】
2008112182.tif 000016
【図１５】
2008112182.tif 000017
【図１６】
2008112182.tif 000018
【図１７】
2008112182.tif 000019
【図１８】
2008112182.tif 000020
【図１９】
2008112182.tif 000021
【図２０】
2008112182.tif 000022